(57)【要約】【課題】遮音性の向上を図り得るとともに、より大きな居住空間や天井ふところ空間を確保し得るようにした床構造を提供する。【解決手段】建築構造物の床梁１とその床梁１上に配設される床パネル３との間に扁平状に形成された薄型の液封マウント２を設置し、床パネル３が液封マウント２に支持されるようにして配設する。【選択図】　　　図１
2004003283.tif 000002
【特許請求の範囲】
【請求項１】
建築構造物の床梁上に床パネルが配設されている床構造において、
前記床梁と前記床パネルとの間に扁平状の液封マウントが設置され、前記床パネルが前記液封マウントに支持されるようにして配設されていることを特徴とする床構造。
【請求項２】
前記液封マウントは、高さと横幅の比が１：２から１：１０の範囲の扁平状に形成されていることを特徴とする請求項１記載の床構造。
【請求項３】
前記液封マウントは、板状の仕切部材と、一端が閉口する筒状に形成され、開口側の端面が前記仕切部材の一方面に対向するように配置されて前記仕切部材との間に主液室を形成する弾性支持部材と、前記仕切部材の他方面にその一端面が対向するように配置された筒状の支持部材と、該支持部材の内周部にその外周縁部を保持されて前記仕切部材との間に副液室を形成するダイヤフラムと、前記仕切部材と前記支持部材との間に設けられて前記主液室と前記副液室とを連通するオリフィス通路と、から構成されていることを特徴とする請求項１又は２記載の床構造。
【請求項４】
前記液封マウントの前記床パネルを支持する側の端面には、該端面の全域を覆うように配置された拘束板が取付けられていることを特徴とする請求項１〜３記載の床構造。
【請求項５】
前記拘束板は、該拘束板上に配設される前記床パネル又は該床パネルを支持する支持部材と前記拘束板とを締結する締結部材を有することを特徴とする請求項４記載の床構造。
【請求項６】
前記床梁は、その側面部に前記液封マウントが設置されるブラケットを有することを特徴とする請求項１〜５記載の床構造。
【請求項７】
前記床パネルは、金属板により形成されたケーシングと、該ケーシングの内部空間に充填配置された充填材とからなる複合板で形成されていることを特徴とする請求項１〜６記載の床構造。
【請求項８】
前記床パネルの裏面には、該床パネルを支持する支持部材が取付けられていることを特徴とする請求項１〜７記載の床構造。
【請求項９】
前記支持部材は、前記床パネルの裏面の複数に分割された部分に対してそれぞれ分離された状態で配設されていることを特徴とする請求項８記載の床構造。
【請求項１０】
前記床パネルは、前記床梁に支持されて配設される第１床パネルと該第１床パネルと距離を隔てて配設される第２床パネルとからなる二重構造に構成され、前記液封マウントは、前記第１床パネルと第２床パネルとの間に設置されていることを特徴とする請求項１〜９記載の床構造。
【請求項１１】
前記床パネルは、前記床梁上に設置される前記液封マウントと対応する部分の裏面に座ぐり部を有し、該座ぐり部内に一部が収納された前記液封マウントにより支持されていることを特徴とする請求項１〜７記載の床構造。
【請求項１２】
前記床パネルは、前記床梁上に載置される側の端面と裏面とが交わる角部の全域に前記端面に沿って延びる座ぐり部を有する複数のパネル材が前記座ぐり部に取付けられた連結部材で連結されることにより構成され、前記床梁上に設置されて前記座ぐり部内に少なくとも一部が収納された前記液封マウントにより前記連結部材を介して支持されていることを特徴とする請求項１〜７記載の床構造。
【発明の詳細な説明】
【０００１】
【発明の属する技術分野】
本発明は、例えば一般住宅等の建築構造物の床構造に関する。
【０００２】
【従来の技術】
一般住宅等においては、床に飛び跳ねや踏み台からの降下等による衝撃が加わると振動が発生し、その振動が不快音や不快震動等の原因となることから問題となる。さらに、戸建住宅やマンション等においては、居室や廊下の床に発生する振動や衝撃音が階下に直接的に伝搬されるため、階下の住人にとっては甚だしい騒音となる場合がある。
【０００３】
そこで、一般住宅等の床に発生する振動を抑制するために、従来より種々の対策が講じられており、例えば特許文献１等に開示されているように、建築構造物の床梁に衝撃等の振動を吸収する液封マウントを介して床パネルが載置固定されている床構造が知られている。この場合、床梁の上面に固定された液封マウントの上に床パネルが載置固定されたり、床梁の側面部に取付けられたブラケットに液封マウントを介して床パネルの周端部が載置固定される。この床構造においては、床パネルに発生した振動が液封マウントにより吸収されるため、階下に伝搬される６３Ｈｚ帯域（４５〜９０Ｈｚ）の衝撃音や振動を低減することができる。
【０００４】
なお、ここで用いられる液封マウントは、一般に、ゴム弾性体の内部に、液体が封入され且つオリフィス通路により互いに連通する複数の液室が設けられている構造のものである。そして、この液封マウントに床パネル等からの衝撃が加わると、ゴム弾性体が上下に圧縮変形することによりその衝撃が緩和されるとともに、各液室の容積変化に伴ってオリフィス通路を流動する液体の液柱共振作用によりその振動が効果的に吸収されるようになっている。
【０００５】
【特許文献１】
特開平１１−１３１９３号公報
【０００６】
【発明が解決しようとする課題】
ところで、上記従来の液封マウントは、ゴム弾性体の内部に設けられる通常二つの液室を高さ方向（振動入力方向）に直列状に並ぶように配置しなければならない等の構造上の理由から、高さ寸法が大きいものとなっている。したがって、そのような液封マウントが床梁の上面と床パネルとの間に設置されている場合には、液封マウントの高さ分だけ床パネルの配置位置が高くなり、床パネル上の居住空間が狭くなるという問題が生じる。また、そのような液封マウントが床梁の側面部に設けられたブラケットと床パネルとの間に設置されている場合には、床パネルの下側に形成される天井ふところ空間が液封マウントの高さ分だけ狭くなるため、その空間に配置される配線・配管スペースを充分に確保することが困難になるという問題が生じる。
【０００７】
本発明は上記実状に鑑みてなれたものであり、遮音性の向上を図り得るとともに、より大きな居住空間や天井ふところ空間を確保し得るようにした床構造を提供することを解決すべき課題とするものである。
【０００８】
【課題を解決するための手段、発明の作用及び効果】
上記課題を解決する請求項１記載の発明に係る床構造は、建築構造物の床梁上に床パネルが配設されている床構造において、前記床梁と前記床パネルとの間に扁平状の液封マウントが設置され、前記床パネルが前記液封マウントに支持されるようにして配設されているという手段を採用している。
【０００９】
本発明の床構造は、床梁と床パネルとの間に液封マウントが設置されていることから、床パネルに発生する衝撃音や振動を液封マウントにより効果的に低減させ得る構造となる。そして、液封マウントは扁平状に形成されているため、床パネルの配置位置が高くなって床パネル上の居住空間が大幅に減少したり、床パネルの下側の天井ふところ空間が大幅に減少したりすることがない。そのため、充分な大きさの居住空間や天井ふところ空間を確保する上で有利となる。
【００１０】
したがって、本発明の床構造によれば、床梁と床パネルとの間に扁平状の液封マウントが設置されているため、遮音性の向上を図ることができるとともに、より大きな居住空間や天井ふところ空間を有利に確保することができる。
【００１１】
請求項２記載の発明に係る床構造は、請求項１記載の発明において、前記液封マウントは、高さと横幅の比が１：２から１：１０の範囲の扁平状に形成されているという手段を採用している。
【００１２】
この手段によれば、液封マウントが薄型となるため、液封マウントの設置スペースを確実に少なくすることができる。これにより、床パネルの配置位置の上昇をより確実に抑制したり、床パネル下の天井ふところ空間の大幅な減少をより確実に抑制することができる。
【００１３】
なお、液封マウントの高さとは、床梁側の支持面と床パネル側の支持面との間の距離のことをいい、液封マウントの横幅とは、高さ方向と直角の方向において最も広い部分の幅のことをいう。
【００１４】
請求項３記載の発明に係る床構造は、請求項１又は２記載の発明において、前記液封マウントは、板状の仕切部材と、一端が閉口する筒状に形成され、開口側の端面が前記仕切部材の一方面に対向するように配置されて前記仕切部材との間に主液室を形成する弾性支持部材と、前記仕切部材の他方面にその一端面が対向するように配置された筒状の支持部材と、該支持部材の内周部にその外周縁部を保持されて前記仕切部材との間に副液室を形成するダイヤフラムと、前記仕切部材と前記支持部材との間に設けられて前記主液室と前記副液室とを連通するオリフィス通路と、から構成されているという手段を採用している。
【００１５】
この手段によれば、仕切部材と支持部材との間に設けられるオリフィス通路を副液室の外側に位置するように設けることが可能であるため、高さが低くより薄型の液封マウントを実現することができる。
【００１６】
請求項４記載の発明に係る床構造は、請求項１〜３記載の発明において、前記液封マウントの前記床パネルを支持する側の端面には、該端面の全域を覆うように配置された拘束板が取付けられているという手段を採用している。
【００１７】
この手段によれば、拘束板上に載置される床パネル等から振動が拘束板の一部分に部分的に入力した場合でも、その振動が拘束板を介して液封マウントの床パネルを支持する側の端面の全体に伝達されるようにすることができる。これにより、液封マウントの液室の容積を効率良く変化させて液体の流動を促進させることができるため、液封マウントによる良好な振動低減効果を得ることができる。
【００１８】
なお、拘束板は、剛性を有するものであれば上記の機能を発揮するので、その材質としては、例えば硬質樹脂、或いは鉄系等の金属を採用することができる。
【００１９】
請求項５記載の発明に係る床構造は、請求項４記載の発明において、前記拘束板は、該拘束板上に配設される前記床パネル又は該床パネルを支持する支持部材と前記拘束板とを締結する締結部材を有するという手段を採用している。
【００２０】
この手段によれば、液封マウント上に配設される床パネルが締結部材により拘束板と直接又は支持部材を介して間接的に固定されるため、液封マウントに対して床パネルを位置ずれすることなく所定の位置に配設することができる。
【００２１】
なお、１枚の拘束板（１個の液封マウント）上に複数の床パネルの端部が設置される場合には、その１枚の拘束板に対して床パネルの数に対応する複数の締結部材を設けることができる。このようにして、複数の床パネルを締結部材により１枚の拘束板に締結すれば、その複数の床パネルが一体化されるため、１枚の床パネルにのみ振動が入力したときにも各床パネルが一体となって変位するようになり、その振動が拘束板の全体に略均等に伝達されるようにすることができる。
【００２２】
請求項６記載の発明に係る床構造は、請求項１〜５記載の発明において、前記床梁は、その側面部に前記液封マウントが設置されるブラケットを有するという手段を採用している。
【００２３】
この手段によれば、液封マウントが設置されるブラケットが床梁の側面部に設けられていることから、液封マウント上に載置される床パネルが床梁の側面で床梁の上面付近に位置するように配設することが可能な床構造となる。この場合には、扁平状に形成された薄型の液封マウントが用いられることにより、ブラケットの取付け位置を床パネルに近づけることができるため、より大きな天井ふところ空間を確保することができる。
【００２４】
請求項７記載の発明に係る床構造は、請求項１〜６記載の発明において、前記床パネルは、金属板により形成されたケーシングと、該ケーシングの内部空間に充填配置された充填材とからなる複合板で形成されているという手段を採用している。
【００２５】
この手段によれば、強度や遮音性に優れた床パネルを採用することができる。なお、充填材としては、例えばウレタン等の樹脂や各種コンクリート、或いは無機物等から適宜選択することができる。
【００２６】
請求項８記載の発明に係る床構造は、請求項１〜７記載の発明において、前記床パネルの裏面には、該床パネルを支持する支持部材が取付けられているという手段を採用している。
【００２７】
この手段によれば、小さいパネルを複数組合せて床パネルを構成する場合や、比較的剛性の低いパネル材を床パネルとして用いる場合に有利となる。なお、支持部材としては、鉄系等の金属や木質系材料からなる面材や棒材、或いはそれらを複数組合わせたもの等を適宜採用することができる。
【００２８】
請求項９記載の発明に係る床構造は、請求項８記載の発明において、前記支持部材は、前記床パネルの裏面の複数に分割された部分に対してそれぞれ分離された状態で配設されているという手段を採用している。
【００２９】
この手段によれば、床パネルの分割された部分に部分的に入力した振動や衝撃音は、支持部材を介して他の分割部分に伝搬されることがない。そのため、振動や衝撃音が入力した床パネルの分割部分にそのエネルギが局在することになり、振動や衝撃音が他の分割部分へ広がらないので、トータル的に遮音効果を向上させることができる。なお、床パネルの分割数は、床パネルの大きさや形状によって適宜選択することができる。
【００３０】
請求項１０記載の発明に係る床構造は、請求項１〜９記載の発明において、前記床パネルは、前記床梁に支持されて配設される第１床パネルと該第１床パネルと距離を隔てて配設される第２床パネルとからなる二重構造に構成され、前記液封マウントは、前記第１床パネルと第２床パネルとの間に設置されているという手段を採用している。
【００３１】
この手段によれば、床パネルが二重構造に構成されているため、遮音性により優れた床構造を実現することができる。なお、第１床パネル及び第２床パネルは、それらが配設される建築構造物に応じて、例えば木質系やコンクリート系等の種々のものから選択して採用することができる。
【００３２】
請求項１１記載の発明に係る床構造は、請求項１〜７記載の発明において、前記床パネルは、前記床梁上に設置される前記液封マウントと対応する部分の裏面に座ぐり部を有し、該座ぐり部内に一部が収納された前記液封マウントにより支持されているという手段を採用している。
【００３３】
この手段によれば、床パネルを支持する液封マウントの一部が座ぐり部内に収納された状態になることから、液封マウントが座ぐり部内に収納される分だけ、床パネルの配置位置を低くすることができる。そのため、液封マウントで支持されるように配設される床パネルの配置位置の上昇を抑制することができる。
【００３４】
請求項１２記載の発明に係る床構造は、請求項１〜７記載の発明において、前記床パネルは、前記床梁上に載置される側の端面と裏面とが交わる角部の全域に前記端面に沿って延びる座ぐり部を有する複数のパネル材が前記座ぐり部に取付けられた連結部材で連結されることにより構成され、前記床梁上に設置されて前記座ぐり部内に少なくとも一部が収納された前記液封マウントにより前記連結部材を介して支持されているという手段を採用している。
【００３５】
この手段によれば、連結部材を介して床パネルを支持する液封マウントの少なくとも一部が座ぐり部内に収納された状態になることから、液封マウントが座ぐり部内に収納される分だけ、床パネルの配置位置を低くすることができる。そのため、複数のパネル材が連結部材で連結されることにより構成されて液封マウントで支持されるように配設される床パネルの配置位置の上昇を抑制することができる。なお、各パネル材を連結する連結部材は、例えばＬ型鋼やＴ型鋼等を採用することができる。
【００３６】
【発明の実施の形態】
以下、本発明の実施形態を図面に基づき説明する。
【００３７】
〔実施形態１〕
図１は本実施形態に係る床構造の断面図であり、図２は本実施形態において用いられる液封マウントの断面図であって図３のＩＩ−ＩＩ線矢視断面図であり、図３はその液封マウントの平面図である。
【００３８】
本実施形態の床構造は、図１に示すように、床梁１とその床梁１上に配設される床パネル３との間に扁平状の液封マウント２が設置され、床パネル３が液封マウント２に支持されるようにして配設されているものである。
【００３９】
床梁１は、建築構造物の躯体で構成されており、木材により矩形に形成されている。この床梁１の上面の液封マウント２が設置される所定部位には、比較的浅い深さの円形凹部１ａが設けられている。この円形凹部１ａは、床梁１の一部を除去してその上面を窪ませることにより形成されている。
【００４０】
液封マウント２は、図２及び図３に示すように、板状の仕切部材２ａと、一端が閉口する筒状に形成され、開口側の端面が仕切部材２ａの一方面に対向するように配置されて仕切部材２ａとの間に主液室２ｃを形成する弾性支持部材２ｂと、仕切部材２ａの他方面にその一端面が対向するように配置された筒状の支持部材２ｄと、支持部材２ｄの内周部にその外周縁部を保持されて仕切部材２ａとの間に副液室２ｆを形成するダイヤフラム２ｅと、副液室２ｆの外側で仕切部材２ａと支持部材２ｄとの間に設けられて導入口２ｇ及び導出口２ｈを介して主液室２ｃと副液室２ｆとを連通するオリフィス通路２ｉとから構成されており、主液室２ｃ及び副液室２ｆには非圧縮性の液体Ｌが封入されている。
【００４１】
この液封マウント２は、高さが約２５ｍｍ、横幅（外径）が約１１０ｍｍの大きさの円盤形状に形成されており、高さと横幅の比が１：４．４となる扁平状に形成されている。この液封マウント２は、支持部材２ｄが床梁１に設けられた円形凹部１ａに嵌合保持されることにより位置決めされて、床梁１上の所定部位に適数個が設置されている。
【００４２】
床パネル３は、複数の木質系パネルを組合せて構成されたものである。この床パネル３は、その裏面が液封マウント２の弾性支持部材２２の上端面全域に当接するようにして液封マウント２上に載置されている。これにより、床パネル３は、その周端部等の所定部位が液封マウント２で支持されるようにして配設されている。なお、この床パネル３の上には、図示しない中間床材や表面仕上げ材等が適宜配設される。
【００４３】
以上のように構成された本実施形態の床構造において、床パネル３に衝撃等が加わって振動が発生すると、その振動が床パネル３を支持する液封マウント２によって効率良く吸収されるため、階下に伝搬される６３Ｈｚ帯域（４５〜９０Ｈｚ）の衝撃音や振動が効果的に低減される。ここで用いられる液封マウント２は扁平状に形成されているため、床パネル３の配置位置がそれほど上昇しないので、床パネル３上の居住空間は大幅に減少することがない。
【００４４】
したがって、本実施形態の床構造によれば、床梁１と床パネル３との間に扁平状に形成された薄型の液封マウント２が設置されているため、遮音性の向上を図ることができるとともに、床パネル３の配置位置の大幅な上昇を回避して、より大きな居住空間を有利に確保することができる。
【００４５】
特に、本実施形態において用いられる液封マウント２は、高さと横幅の比が１：４．４となる扁平状に形成され、また、仕切部材２ａと支持部材２ｂとの間に設けられるオリフィス通路２ｉが副液室２ｆの外側に位置するように設けられているため、薄型のものが確実に実現される。
【００４６】
〔変形例１〕
図４は本変形例に係る床構造の断面図である。
【００４７】
実施形態１においては、液封マウント２の位置決め用に設けられた円形凹部１ａが床梁１の一部を除去してその上面を窪ませることにより形成されているのに対して、本変形例は、図４に示すように、リング状の枠部材１ｂを床梁１の上面に固定することにより、その枠部材１ｂの内側に円形凹部１ａを形成するようにしたものである。
【００４８】
なお、枠部材１ｂは、必ずしも周方向の全域を囲むように形成されていなくてもよく、液封マウント２の横方向への位置ずれを規制可能なように、周方向の少なくとも３箇所に部分的に設けるようにしてもよい。
【００４９】
〔実施形態２〕
図５は本実施形態に係る床構造の断面図である。
【００５０】
本実施形態の床構造は、図５に示すように、床梁１１と、床梁１１上に設置される扁平状の液封マウント１２と、その裏面に取付けられた支持部材としてのＣ型チャネル鋼１４、１４を介して液封マウント１２上に配設された床パネル１３、１３とから構成されているものである。
【００５１】
床梁１１は、建築構造物の躯体で構成されており、Ｈ型鋼により矩形に形成されている。この床梁１１の上面の液封マウント１２が設置される所定部位には、リング状の枠部材１１ｂが取付けられていることにより、その内側に比較的浅い深さの円形凹部１１ａが設けられている。
【００５２】
液封マウント１２は、実施形態１の液封マウント２と同一に形成されたものに対して拘束板１２ａを付加したものである。拘束板１２ａは、鉄系金属板により円形に形成されており、液封マウント１２の床パネル１３を支持する側の端面の全域に当接するようにして接着剤により固着されている。なお、液封マウント１２本体の構造は、実施形態１のものと同一であるため、詳しい説明は省略する。この液封マウント１２は、床梁１１の上面に設けられた円形凹部１１ａに下端部が嵌合保持されることにより位置決めされて、床梁１１上の所定部位に適数個が設置されている。
【００５３】
床パネル１３、１３は、隣接して並列状に配置された複数のコンクリート系パネルの裏面端部にＣ型チャネル鋼１４、１４をボルト及びナット等の締結部材１４ａ、１４ａで固定して組付けることによりパネル化されたものであって、所定の大きさの矩形に形成されている。この床パネル１３、１３は、図５に示された２枚の他にも複数のものが用いられる。これら床パネル１３、１３は、それぞれの４箇所のコーナ部が床梁１１に設置された液封マウント１２の拘束板１２ａ上に位置するようにして、拘束板１２ａとＣ型チャネル鋼１４、１４が接着剤等により接着されて配設されている。
【００５４】
図５に示すように、２枚の床パネル１３、１３が隣接して配設される箇所には、隣接する２枚の床パネル１３、１３のＣ型チャネル鋼１４、１４取付け側の端面どうしが床梁１１上で対向するようにして、床梁１１に設置された液封マウント１２の１枚の拘束板１２ａに対して、隣接する２本のＣ型チャネル鋼１４、１４が載置された状態に配設される。即ち、隣接する２枚の床パネル１３、１３の各コーナ部が１枚の拘束板１２ａを介して１個の液封マウント１２で支持されるようにされている。なお、このように配設された床パネル１３、１３の上には、図示しない中間床材や表面仕上げ材等が適宜配設される。
【００５５】
以上のように構成された本実施形態の床構造は、実施形態１と同様に、床梁１１と床パネル１３との間に扁平状に形成された薄型の液封マウント１２が設置されているため、実施形態１の場合と同様の作用及び効果を奏する。
【００５６】
特に、本実施形態の床構造においては、液封マウント１２の床パネル１３、１３を支持する側の端面に拘束板１２ａが取付けられているため、一方の床パネル１３にのみ振動が入力した時にも、その振動がＣ型チャネル鋼１４から拘束板１２ａを介して液封マウント１２の端面の全体に略均等に伝達される。これにより、液封マウント１２の液室の容積を効率良く変化させて液体の流動を促進させることができるため、液封マウント１２による良好な振動低減効果を得ることができる。
【００５７】
なお、本実施形態においては、隣接して配設された２枚の床パネル１３、１３の両方のコーナ部を１個の液封マウント１２で支持するようにしているが、各床パネル１３、１３のそれぞれのコーナ部を１個の液封マウント１２で支持するように液封マウント１２を設置してもよい。このようにした場合、液封マウント１２の床パネル１３、１３を支持する側の端面よりもＣ型チャネル鋼１４の幅が狭いときには、上記のように液封マウント１２に取付けられた拘束板１２ａが有効に機能する。
【００５８】
〔変形例２〕
図６は本変形例に係る床構造の断面図である。
【００５９】
実施形態２においては、床パネル１３、１３を支持するＣ型チャネル鋼１４、１４と拘束板１２ａとを接着剤等により接着して両者を固定するようにしているのに対して、本変形例では、２本のＣ型チャネル鋼１４、１４と１枚の拘束板１２ａとを締結する締結部材が設けられた拘束板１２ａを採用して、これにより両者を固定するようにしている。即ち、この拘束板１２ａは、図６に示すように、拘束板１２ａの上面に突設された２本のボルト１２ｂ、１２ｂと、各ボルト１２ｂ、１２ｂの先端部に螺合されるナット１２ｃ、１２ｃとからなる締結部材を有する。
【００６０】
本変形例の場合には、２本のＣ型チャネル鋼１４、１４が１枚の拘束板１２ａに締結部材で締結されることにより、２枚の床パネル１３、１３が一体化されるため、１枚の床パネル１３にのみ振動が入力したときにも両床パネル１３、１３が一体となって変位するため、その振動が拘束板１２ａの全体に略均等に伝達されるようにすることができる。
【００６１】
なお、床パネル１３の裏面にＣ型チャネル鋼１４等の支持部材が取付けられていない場合には、拘束板１２ａと床パネル１３とを締結部材で直接締結するようにしてもよい。
【００６２】
〔実施形態３〕
図７は本実施形態に係る床構造の断面図である。
【００６３】
本実施形態の床構造は、図７に示すように、ブラケット２１ａを有する床梁２１と、ブラケット２１ａに設置される扁平状の液封マウント２２と、その裏面に取付けられた支持部材としてのＣ型チャネル鋼２４を介して液封マウント２２上に配設された床パネル２３とから構成されているものである。
【００６４】
床梁２１は、建築構造物の躯体で構成されており、Ｈ型鋼により矩形に形成されている。この床梁２１の側面の中央から少し下方へ寄った部位には、液封マウント２２が設置される載置部を有するブラケット２１ａが水平方向内方に延出するようにして固着されている。このブラケット２１ａの載置部には、リング状の枠部材２１ｃが取付けられていることにより、その内側に比較的浅い深さの円形凹部２１ｂが設けられている。このブラケット２１ａは、床梁２１の内周側の適宜距離を隔てた所定箇所に適数個取付けられている。
【００６５】
液封マウント２２は、実施形態１の液封マウント２と同一のものが用いられている。よって、その構造等の詳しい説明は省略する。この液封マウント２２は、床梁２１に設けられたブラケット２１ａの載置部に、その下端部が円形凹部２１ｂに嵌合保持されることにより位置決めされて設置されている。
【００６６】
床パネル２３は、鉄系金属板により形成されたケーシング２３ａと、そのケーシング２３ａの内部空間に充填配置された軽量発泡コンクリートよりなる充填材２３ｂとで構成されている。この床パネル２３は、隣接して配置される複数のものがその裏面端部に固定されたＣ型チャネル鋼２４によって組付けられている。この床パネル２３は、床梁２１のブラケット２１ａに設置された液封マウント２２の上端面の全域にＣ型チャネル鋼２４が当接するようにして載置されている。これにより、床パネル２３は、床梁２１の側面側でＣ型チャネル鋼２４を介して液封マウント２２上に載置され、その上面が床梁２１の上面と略同一となる状態に配設されている。なお、この床パネル２３の上には、図示しない中間床材や表面仕上げ材等が適宜配設される。
【００６７】
以上のように構成された本実施形態の床構造においては、床梁２１の側面部に設けられたブラケット２１ａと床パネル２３との間に設置される液封マウント２２が扁平状の薄型に形成されていることから、ブラケット２１ａの取付け位置を床パネル２３に近づけることができるため、床パネル２３の下側の天井ふところ空間が大幅に減少するのを回避することができる。そのため、遮音性の向上を図ることができ、且つより大きな天井ふところ空間を有利に確保することができる。
【００６８】
また、本実施形態において用いられる床パネル２３は、金属板製のケーシング２３ａと、ケーシング２３ａの内部空間に充填配置された軽量発泡コンクリートよりなる充填材２３ｂとで構成され、優れた強度や遮音性を有するものであるため、遮音性をより一層向上させた床構造を実現することができる。
【００６９】
〔実施形態４〕
図８は本実施形態に係る床構造の断面図であって図１０のＶＩＩＩ−ＶＩＩＩ線に相当する部分で切断した断面図であり、図９はその床構造における床梁の斜視図であり、図１０はその床構造において床パネルの裏面に配設された支持部材の配置状態を表す説明図である。
【００７０】
本実施形態の床構造は、図８に示すように、ブラケット３１ｆ、…を有する床梁３１と、ブラケット３１ｆ、…に設置される扁平状の液封マウント３２、…と、その裏面に取付けられた角パイプ３４、…及びＣ型チャネル鋼３５、…よりなる支持部材を介して液封マウント３２、…上に配設された床パネル３３とから構成されているものである。
【００７１】
床梁３１は、建築構造物の躯体で構成されており、図９に示すように、矩形の各辺を形成する４本の外梁３１ａ〜３１ｄと、対向する２本の外梁３１ａ、３１ｃの中央部にその両端が連結された１本の内梁３１ｅとからなる。この床梁３１は、Ｈ型鋼により形成されている。この床梁３１の内側面の所定の１６箇所には、液封マウント３２、…が設置される載置部を有するブラケット３１ｆ、…が水平方向内方に延出するようにして固着されている。このブラケット３１ｆ、…の載置部には、リング状の枠部材３１ｈ、…が取付けられていることにより、その内側に比較的浅い深さの円形凹部３１ｇ、…が設けられている。
【００７２】
液封マウント３２、…は、図８に示すように、実施形態２の液封マウント１２と同一のものが用いられており、拘束板３２ａ、…を有するものである。但し、この拘束板３２ａ、…は、拘束板３２ａ、…の一方面の中央部に突設されたボルト３２ｂ、…と、ボルト３２ｂ、…の先端部に螺合されるナット３２ｃ、…とからなる締結部材を有する点で実施形態２のものと異なる。この締結部材は、拘束板３２ａ、…上に設置されるＣ型チャネル鋼３５、…と拘束板３２ａ、…とを締結して固定するものである。なお、液封マウント３２、…本体の構造は、実施形態２のものと同一であるため、詳しい説明は省略する。この液封マウント３２は、床梁３１に設けられたブラケット３１ｆ、…の載置部に、その下端部が円形凹部３１ｇ、…に嵌合保持されることにより位置決めされて設置されている。
【００７３】
床パネル３３は、下地パネル材３３ａと中間床材３３ｂ、３３ｃと表面仕上げ材３３ｄとを積層して構成されたものである。この床パネル３３は、１枚で、床梁３１の外梁３１ａ〜３１ｄと略同じ大きさの矩形に形成されている。
【００７４】
この床パネル３３の裏面には、床パネル３３を支持する支持部材としての角パイプ３４、…及びＣ型チャネル鋼３５、…が取付けられている。この支持部材は、図１０に示すように、床パネル３３の裏面を４分割したＡ〜Ｄ部分に対して、それぞれ分離された状態で配設されている。即ち、Ａ〜Ｄ部分の各部分には、４本の角パイプ３４、…と２本のＣ型チャネル鋼３５、３５をボルト及びナットからなる締結部材３４ａで締結して井桁状に組付けた４組の支持部材がそれぞれ分離独立した状態で配設されている。したがって、同方向に延びるＡ部分とＢ部分の角パイプ３４、…、及びＣ部分とＤ部分の角パイプ３４、…は繋がっていない。また、同方向に延びるＡ部分とＣ部分のＣ型チャネル鋼３５、…、及びＢ部分とＤ部分のＣ型チャネル鋼３５、…も繋がっていない。
【００７５】
この床パネル３３は、Ａ〜Ｄ部分のそれぞれの４箇所のコーナ部（図１０のＭ１〜Ｍ１６）が床梁３１のブラケット３１ｆ、…に設置された液封マウント３２、…に支持されるようにして配設されている。即ち、各コーナ部に位置するＣ型チャネル鋼３５、…の両端部が液封マウント３２、…の拘束板３２ａ、…にボルト３２ｂ、…及びナット３２ｃ、…からなる締結部材により締結されて固定された状態で配設されている。これにより、床パネル３３は、床梁３１の上面から所定距離上方に位置するように配設されている。
【００７６】
以上のように構成された本実施形態の床構造は、床梁３１の側面部に設けられたブラケット３１ｆ、…と床パネル３３との間に扁平状に形成された薄型の液封マウント３２、…が設置されているため、遮音性の向上を図ることができ、且つより大きな天井ふところ空間を有利に確保することができる等、実施形態３の場合と同様の作用及び効果を奏する。
【００７７】
特に、本実施形態の床構造においては、床パネル３３の裏面に取付けられた角パイプ３４、…及びＣ型チャネル鋼３５、…からなる支持部材が、床パネル３３の裏面の４分割されたＡ〜Ｄ部分に対してそれぞれ分離された状態で配設されているため、床パネル３３のＡ〜Ｄ部分に部分的に入力した振動や衝撃音は支持部材を介して他の部分に伝搬されることがない。そのため、振動や衝撃音が入力した床パネル３３の分割部分にそのエネルギが局在することになり、振動や衝撃音が他の分割部分へ広がらないので、トータル的に遮音効果を向上させることができる。
【００７８】
〔実施形態５〕
図１１は本実施形態に係る床構造の断面図である。
【００７９】
本実施形態の床構造は、図１１に示すように、床梁４１上に配設される床パネルが第１床パネル４３ａ及び第２床パネル４３ｂからなる遮音性に優れた二重床構造のものであって、適数個の液封マウント４２、４２が第１床パネル４３ａと第２床パネル４３ｂとの間に設置されているものである。
【００８０】
床梁４１は、建築構造物の躯体で構成されており、Ｈ型鋼により矩形に形成されている。
【００８１】
第１床パネル４３ａは、その周端部が床梁４１の上面に載置されるように配設された一重目の床パネルである。この第１床パネル４３ａは、床梁４１と略同じ大きさの矩形に形成されている。第１床パネル４３ａの上面の液封マウント４２、４２が設置される所定部位には、リング状の枠部材４３ｄが取付けられていることにより、その内側に比較的浅い深さの円形凹部４３ｃが設けられている。
【００８２】
液封マウント４２、４２は、第１床パネル４３ａに設けられた円形凹部４３ｃに嵌合保持されることにより位置決めされて、第１床パネル４３ａ上の所定部位に適数個が設置されている。この液封マウント４２、４２は、実施形態１の液封マウント２と同一のものが用いられている。よって、その構造等の詳しい説明は省略する。
【００８３】
第２床パネル４３ｂは、複数の木質系パネルを組み合わせて構成されたものであり、床梁４１と略同じ大きさの矩形に形成されている。この第２床パネル４３ｂは、その裏面が液封マウント４２、４２の上端面全域に当接するようにして液封マウント４２、４２上に載置されている。これにより、第２床パネル４３ｂは、第１床パネル４３ａと液封マウント４２、４２の高さ（厚み）分の距離を隔ててた位置で液封マウント４２、４２により支持された状態に配設され、第１床パネル４３ａとともに二重床構造を構成している。なお、この第２床パネル４３ｂの上には、図示しない中間床材や表面仕上げ材等が適宜配設される。
【００８４】
以上のように構成された本実施形態の二重床構造においても、床梁４１に支持されて配設される第１床パネル４３ａとその第１床パネル４３ａの上に距離を隔てて配設される第２床パネル４３ｂとの間に扁平状に形成された薄型の液封マウント４２、４２が設置されているため、遮音性の向上を図ることができるとともに、第２床パネル４３ｂの配置位置の大幅な上昇を回避して、より大きな居住空間を有利に確保することができ、上記実施形態の場合と同様の作用及び効果を奏する。
【００８５】
なお、本実施形態における第２床パネル４３ｂは、木質系パネルを組み合わせて構成されたものであるが、その他の例えばコンクリート系パネル等で構成してもよい。
【００８６】
〔実施形態６〕
図１２は本実施形態に係る床構造の斜視図である。
【００８７】
本実施形態の床構造は、図１２に示すように、床梁５１と、床梁５１上に設置される扁平状の複数の液封マウント５２、５２と、その裏面の所定部位に設けられた座ぐり部５３ａ、５３ａを有し、その座ぐり部５３ａ、５３ａを液封マウント５２、５２で支持されるようにして床梁５１上に配設された床パネル５３とから構成されている。
【００８８】
床梁５１は、建築構造物の躯体で構成されており、Ｈ型鋼により矩形に組まれている。
【００８９】
液封マウント５２、５２は、実施形態２の液封マウント１２と同一に形成されたものであって、床パネル５３を支持する上端面に拘束板５２ａを有する。なお、液封マウント５２、５２本体の構造は、実施形態１のものと同一であるため、詳しい説明は省略する。この液封マウント５２、５２は、その下端面が床梁５１の上端面の所定位置に接着剤や粘着剤等で固着されることにより位置決めされて、適数個が設置されている。
【００９０】
床パネル５３は、軽量発泡コンクリート（ＡＬＣ）により長方形板状に形成されたものである。この床パネル５３は、そのコーナ部の４箇所が床梁５１上に設置された液封マウント５２、５２に支持されるようにして床梁５１上に配設されている。この床パネル５３の裏面の各コーナ部には、液封マウント５２、５２で支持される座ぐり部５３ａ、５３ａが設けられている。この座ぐり部５３ａ、５３ａは、液封マウント５２、５２の幅寸法よりも少し長い辺で形成される矩形の底面を有し、液封マウント５２、５２の高さ寸法よりも少し小さい深さに形成されている。
【００９１】
よって、床パネル５３は、座ぐり部５３ａ、５３ａ内にその大部分が収納された液封マウント５２、５２により支持される状態で、床梁５１上に配設されている。これにより、床パネル５３の配置位置は、液封マウント５２、５２が座ぐり部５３ａ、５３ａ内に収納される分だけ床梁５１に接近して低くなっている。このように配設される床パネル５３は、長辺側端面どうしが接し合うようにして複数のものが並列状に配設される。なお、このように配設された床パネル５３の上には、図示しない中間床材や表面仕上げ材等が適宜配設される。
【００９２】
以上のように構成された本実施形態の床構造は、実施形態２と同様に、床梁５１と床パネル５３との間に、拘束板５２ａ、５２ａを有し扁平状の薄型に形成された液封マウント５２、５２が設置されているため、実施形態２の場合と同様の作用及び効果を奏する。
【００９３】
特に、本実施形態の床構造における床パネル５３は、裏面のコーナ部の４箇所（床梁５１上に設置される液封マウント５２、５２と対応する部分）に、座ぐり部５３ａ、５３ａが設けられていることから、床パネル５３は、座ぐり部５３ａ、５３ａ内にその大部分が収納された液封マウント５２、５２により支持される状態で床梁５１上に配設されている。そのため、液封マウント５２、５２が座ぐり部５３ａ、５３ａ内に収納される分だけ、床パネル５３の配置位置を低くすることができるので、液封マウント５２、５２で支持されるように配設される床パネル５３の配置位置の上昇を抑制することができる。これにより、床パネル５３の上側の居室空間が小さくなるのを回避し、より大きな居室空間を有利に確保することができる。
【００９４】
〔変形例３〕
図１３は本変形例に係る床構造の断面図である。
【００９５】
本変形例は、実施形態６の床構造において、液封マウント５２が設置される上端面の横幅が狭い床梁５１を用いる場合の例である。即ち、本変形例の床梁５１は、図１３に示すように、床梁５１上に２枚の床パネル５３、５３がそれらの短辺側の端面どうしが対向するようにして載置される場合に、それぞれの床パネル５３、５３の座ぐり部５３ａ、５３ａを支持する２個の液封マウント５２、５２を設置できるだけの十分なスペース（横幅）を有しない。よって、この床梁５１の液封マウント５２が設置されるべき部位の両側部には、床梁５１の上端面から両側にそれぞれ延出する設置部５１ｂ、５１ｂを有するブラケット５１ａ、５１ａが取付けられている。これにより、床梁５１の液封マウント５２、５２が設置されるべき部位の上端面は、両横方向に拡張されている。
【００９６】
なお、本変形例における液封マウント５２、５２は、床梁５１の上端面及び設置部５１ｂ、５１ｂにその下端面が接着剤等で固着されることにより位置決めされ、各床パネル５３、５３の座ぐり部５３ａ、５３ａの底面にその上端面が接着剤等で固着されている。
【００９７】
以上のように、本変形例の床梁５１は、液封マウント５２、５２が設置されるべき部位にブラケット５１ａ、５１ａを取付けて液封マウント５２、５２の設置スペースを確保するようにしているため、上端面の横幅が狭いものを採用することができ、これにより床梁５１の軽量化を図ることができる。
【００９８】
〔変形例４〕
図１４は本変形例に係る床構造の断面図である。
【００９９】
本変形例は、図１４に示すように、床梁５１上に２枚の床パネル５３、５３がそれらの短辺側の端面どうしが対向するようにして載置される場合に、その２枚の床パネル５３、５３の隣接する２個の座ぐり部５３ａ、５３ａを１個の液封マウント５２で支持するようにしたものである。即ち、この場合には、２枚の床パネル５３、５３は、それぞれのコーナ部に設けられた座ぐり部５３ａ、５３ａの底面が、液封マウント５２、５２の上端に設けられた拘束板５２ａの略半分づつの部分で支持されるように配設される。よって、各床パネル５３、５３の座ぐり部５３ａ、５３ａの底面は、実施形態６の場合の略半分の大きさに形成されている。また、床梁５１は、その上端面の横幅が１個の液封マウント５２を設置できるだけでよい狭いものが用いられている。
【０１００】
以上のように構成された床構造においては、床梁５１上に短辺側の端面どうしが対向するようにして載置される２枚の床パネル５３、５３を１個の液封マウント５２で支持するようにしているため、液封マウント５２の設置個数を低減することができる。また、上端面の横幅が狭い床梁５１をそのまま採用することができるため、床梁５１の軽量化を図ることができる。
【０１０１】
〔実施形態７〕
図１５は本実施形態に係る床構造の斜視図である。
【０１０２】
本実施形態の床構造は、図１５に示すように、床梁６１と、床梁６１上に設置される扁平状の複数の液封マウント６２と、その裏面の短辺側の角部に設けられた座ぐり部６３ａを有し、その座ぐり部６３ａに取付けられた連結部材６４を介して液封マウント６２上に配設された床パネル６３とから構成されている。
【０１０３】
床梁６１は、Ｈ型鋼により矩形に組まれたものであり、実施形態６と同一のものである。
【０１０４】
液封マウント６２は、実施形態２の液封マウント１２と同一に形成されたものであって、床パネル６３を支持する上端面に拘束板６２ａを有する。なお、液封マウント６２本体の構造は、実施形態１のものと同一であるため、詳しい説明は省略する。この液封マウント６２は、その下端面が床梁６１の上端面の所定位置に接着剤や粘着剤等で固着されることにより位置決めされて、適数個が設置されている。
【０１０５】
床パネル６３は、軽量発泡コンクリート（ＡＬＣ）により長方形板状に形成された複数のパネル材を、それらの長辺側端面どうしが接し合うようにして並列状に配置し、連結部材６４で連結して組付けることによりパネル化されたものである。各パネル材の短辺側の端面と裏面とが交わる角部の全域には、その端面に沿って延びる座ぐり部６３ａが設けられている。この座ぐり部６３ａは、液封マウント６２の幅寸法よりも少し大きい幅で裏面と平行に延びる底面を有し、液封マウント６２の高さ寸法と略同じ深さに形成されている。そして、並列状に配置された複数のパネル材は、各座ぐり部６３の底面と各パネル材の短辺側端面とに接着剤等で固着された連結部材６４としてのＬ型鋼により連結されて組付けられている。
【０１０６】
このように構成された床パネル６３は、床梁６１上の距離を隔てた所定位置に設置された液封マウント６２により、連結部材６４を介して支持されるようにして床梁６１上に配設されている。この場合、液封マウント６２は、床パネル６３の座ぐり部６３ａ内にその大部分が収納された状態となって床パネル６３の連結部材６４を支持している。これにより、床パネル６３の配置位置は、液封マウント６２が座ぐり部６３ａ内に収納される分だけ床梁６１に接近して低くなっている。なお、このように配設された床パネル６３の上には、図示しない中間床材や表面仕上げ材等が適宜配設される。
【０１０７】
以上のように構成された本実施形態の床構造は、実施形態２と同様に、床梁６１と床パネル６３との間に、拘束板６２ａを有し扁平状の薄型に形成された液封マウント６２が設置されているため、実施形態２の場合と同様の作用及び効果を奏する。
【０１０８】
特に、本実施形態の床構造における床パネル６３は、床梁６１上に載置される側の角部に座ぐり部６３ａを有する複数のパネル材が座ぐり部６３ａに取付けられた連結部材６４で連結されることにより構成され、床梁６１上に設置されて座ぐり部６３ａ内に少なくとも一部が収納された液封マウント６２により連結部材６４を介して支持される状態に配設されている。これにより、液封マウント６２が座ぐり部６３ａ内に収納される分だけ、床パネル６３の配置位置を低くすることができる。そのため、複数のパネル材が連結部材６４で連結されることにより構成されて液封マウント６２で支持されるように配設される床パネル６３の配置位置の上昇を抑制することができる。これにより、床パネル６３の上側の居室空間が小さくなるのを回避し、より大きな居室空間を有利に確保することができる。
【０１０９】
また、本実施形態では、複数のパネル材が連結部材６４で連結されることにより構成された床パネル６３を連結部材６４を介して液封マウント６２で支持するようにしているため、実施形態６の場合に比べて、液封マウント６２の設置個数を大幅に低減することができる。
【０１１０】
なお、本実施形態においては、床パネル６３を構成する複数のパネル材と連結部材６４との固定手段として接着剤が採用されているが、他の固定手段として、例えばボルトとナットによる締結部材等を採用することができる。
【０１１１】
〔変形例５〕
図１６は本変形例に係る床構造の断面図である。
【０１１２】
本変形例は、実施形態７の床構造において、液封マウント６２が設置される上端面の横幅が狭い床梁６１を用いる場合の例である。即ち、本変形例の床梁６１は、図１６に示すように、複数のパネル材が連結部材６４、６４で連結されることにより構成される２枚の床パネル６３、６３がそれらの連結部材６４、６４側の端面どうしが対向するようにして床梁６１上に載置される場合に、それぞれの床パネル６３、６３の座ぐり部６３ａ、６３ａに取付けられた連結部材６４、６４を支持する２個の液封マウント６２、６２を設置できるだけの十分なスペース（横幅）を有しない。よって、この床梁６１の液封マウント６２、６２が設置されるべき部位の両側部には、床梁６１の上端面から両側にそれぞれ延出する設置部６１ｂ、６１ｂを有するブラケット６１ａ、６１ａが取付けられている。これにより、床梁６１の液封マウント６２、６２が設置されるべき部位の上端面は、両横方向に拡張されている。
【０１１３】
なお、本変形例における液封マウント６２、６２は、床梁６１の上端面及び設置部６１ｂ、６１ｂにその下端面が接着剤等で固着されることにより位置決めされ、各床パネル６３、６３の座ぐり部６３ａ、６３ａの底面に取付けられた連結部材６４にその上端面が接着剤等で固着されている。
【０１１４】
以上のように、本変形例の床梁６１は、液封マウント６２、６２が設置されるべき部位にブラケット６１ａ、６１ａを取付けて液封マウント６２、６２の設置スペースを確保するようにしているため、上端面の横幅が狭いものを採用することができ、これにより床梁６１の軽量化を図ることができる。
【０１１５】
〔変形例６〕
図１７は本実施形態に係る床構造の断面図である。
【０１１６】
本変形例は、図１７に示すように、複数のパネル材が連結部材６５で連結されることにより構成される２枚の床パネル６３、６３がそれらの連結部材６５側の端面どうしが対向するようにして床梁６１上に載置される場合に、その２枚の床パネル６３、６３の隣接する２個の座ぐり部６３ａ、６３ａに取付けられた連結部材６５を１個の液封マウント６２で支持するようにしたものである。
【０１１７】
即ち、本変形例では、連結部材６５としてＴ型鋼が採用されており、２枚の床パネル６３、６３は、両方の座ぐり部６３ａ、６３ａの底面と端面とに接着剤により固着されたＴ型鋼により一体的に連結されている。そして、その２枚の床パネル６３、６３は、両方の座ぐり部６３ａ、６３ａの底面に固着された連結部材６５の部分が、液封マウント６２の上端に設けられた拘束板６２ａの全面で支持されるように配設されている。よって、各床パネル６３、６３に設けられた座ぐり部６３ａ、６３ａの底面の幅は、実施形態７の場合の略半分の大きさに形成されている。また、床梁６１は、その上端面の横幅が１個の液封マウント６２を設置できるだけでよい狭いものが用いられている。
【０１１８】
以上のように構成された床構造においては、床梁６１上に連結部材６５側の端面どうしが対向するようにして載置される２枚の床パネル６３、６３を１個の液封マウント６２で支持するようにしているため、実施形態７や変形例５の場合に比べて、液封マウント６２の設置個数を更に低減することができる。また、上端面の横幅が狭い床梁６１をそのまま採用することができるため、床梁６１の軽量化を図ることができる。
【図面の簡単な説明】
【図１】本発明の実施形態１に係る床構造の断面図である。
【図２】本発明の実施形態１において用いられる液封マウントの断面図であって図３のＩＩ−ＩＩ線矢視断面図である。
【図３】本発明の実施形態１において用いられる液封マウントの平面図である。
【図４】本発明の変形例１に係る床構造の断面図である。
【図５】本発明の実施形態２に係る床構造の断面図である。
【図６】本発明の変形例２に係る床構造の断面図である。
【図７】本発明の実施形態３に係る床構造の断面図である。
【図８】本発明の実施形態４に係る床構造の断面図であって図９のＶＩＩ−ＶＩＩ線に相当する部分で切断した断面図である。
【図９】本発明の実施形態４に係る床構造における床梁の斜視図である。
【図１０】本発明の実施形態４に係る床構造において床パネルの裏面に配設された支持部材の配置状態を表す説明図である。
【図１１】本発明の実施形態５に係る床構造の断面図である。
【図１２】本発明の実施形態６に係る床構造の斜視図である。
【図１３】本発明の変形例３に係る床構造の断面図である。
【図１４】本発明の変形例４に係る床構造の断面図である。
【図１５】本発明の実施形態７に係る床構造の斜視図である。
【図１６】本発明の変形例５に係る床構造の断面図である。
【図１７】本発明の変形例６に係る床構造の断面図である。
【符号の説明】
１、１１、２１、３１、４１、５１、６１…床梁
１ａ、１１ａ、２１ｂ、３１ｇ、４３ｃ…円形凹部
１ｂ、１１ｂ、２１ｃ、３１ｈ、４３４ｄ…枠部材
２１ａ、３１ｆ、５１ａ、６１ａ…ブラケット
３１ａ〜３１ｄ…外梁　　　　　３１ｅ…内梁
５１ｂ、６１ｂ…設置部
２、１２、２２、３２、４２、５２、６２…液封マウント
１２ａ、３２ａ、５２ａ、６２ａ…拘束板　　　　　１２ｂ、３２ｂ…ボルト
１２ｃ、３２ｃ…ナット　　　２ａ…仕切部材　　　　　２ｂ…弾性支持部材
２ｃ…主液室　　　２ｄ…支持部材　　　　　２ｅ…ダイヤフラム
２ｆ…副液室　　　２ｇ…導入口　　　　　２ｈ…導出口
２ｉ…オリフィス通路　　　　　Ｌ…液体
３、１３、２３、３３、５３、６３…床パネル　　　　　２３ａ…ケーシング
２３ｂ…充填材　　　　　３３ａ…下地パネル材
３３ｂ、３３ｃ…中間床材　　　　　３３ｄ…表面仕上げ材
４３ａ…第１床パネル　　　　　４３ｂ…第２床パネル
１４、２４、３５…Ｃ型チャネル鋼　　　　　３４…角パイプ
１４ａ、３４ａ…締結部材　　　　　５３ａ、６３ａ…座ぐり部
６４、６５…連結部材
【図１】
2004003283.tif 000003
【図２】
2004003283.tif 000004
【図３】
2004003283.tif 000005
【図４】
2004003283.tif 000006
【図５】
2004003283.tif 000007
【図６】
2004003283.tif 000008
【図７】
2004003283.tif 000009
【図８】
2004003283.tif 000010
【図９】
2004003283.tif 000011
【図１０】
2004003283.tif 000012
【図１１】
2004003283.tif 000013
【図１２】
2004003283.tif 000014
【図１３】
2004003283.tif 000015
【図１４】
2004003283.tif 000016
【図１５】
2004003283.tif 000017
【図１６】
2004003283.tif 000018
【図１７】
2004003283.tif 000019